(57)【要約】      （修正有） 【課題】従来の刈払機は立ち草を刈払いするが、根は残ったままであり、草などを刈り取っても直ぐにまた伸びてくる。このため、雑草を刈り取ると同時に除草機能を持った、除草機能付き刈払機を提供する。【解決手段】軸方向中心部に貫通孔を有する孔開きボルト２、頭付ピン３、袋ナット６から成る複数個の除草爪１を、刈払機の回転刃７の中心軸に対して重量バランスが取れるように、孔開きボルトを回転刃に開けた孔の下面側から上面側に通してナットで固定し、頭付ピンを挿入して袋ナットで孔開きボルトに固定している。頭付ピンは孔開きボルトの孔内を前後、左右、上下に移動して衝撃を吸収・緩和することができ、除草爪の破損を防止すると共に、除草機能付き刈払機を持つ手元への衝撃を和らげる。【選択図】図４
0003234063.tif 000002
【実用新案登録請求の範囲】
【請求項１】
少なくとも 軸方向中心部に貫通孔を有する孔開きボルト、ナット、頭付ピンと袋ナットから成る複数個の除草爪を、
刈払機の回転刃の中心軸に対して重量バランスが取れる個所に開けた孔に取付けた、
ことを特徴とする除草機能付き刈払機。 
【請求項２】
請求項1の除草機能付き刈払機の除草爪において、
前記除草爪は少なくとも 軸方向中心部に貫通孔を有する孔開きボルト、頭付ピンと袋ナットから成る、
ことを特徴とする除草機能付き刈払機。 
【請求項３】
請求項１または請求項２のいずれかにおいて、
刈払機の回転刃は刈払い用の刃の無い平板とした、
ことを特徴とする除草機能付き刈払機。
【考案の詳細な説明】
【技術分野】
【０００１】
本考案は刈払機の回転刃が回転して雑草などを刈払いすると同時に、回転刃に取付けた複数の除草爪が地面を掻き、雑草を根から掻き取る除草機能付き刈払機に関するものである。
【背景技術】
【０００２】
刈払機は立ち草を刈り取るのに効率が良く有効であるが、雑草を刈り取っても根が残っているので、また直ぐに伸びてくる。根を除去するためには、鍬などを用いて人力で実施したり、動力的な手段で取り除く機器も公表されている。 
【先行技術文献】
【特許文献】
【０００３】
【特許文献１】特開２００６−３３３７５２
【特許文献２】実開Ｈ０２−１１６９０５
【特許文献３】実登３１５８０１４
【考案の概要】
【考案が解決しようとする課題】
【０００４】
刈払機は円板状で外周に鋸状の刃の付いた回転刃を動力で回転させて、草などを刈払いするもので、従来の刈払機は立ち草を刈払いするが、草などを刈り取っても根は残ったままであり、また直ぐ伸びてくる 。このため、草などを刈り取ると同時に除草機能を持った機器が望まれている。
【課題を解決するための手段】
【０００５】
上記課題を解決するため、
第１の本考案は、少なくとも軸方向中心部に貫通孔を有する孔開きボルト、ナット、頭付ピンと袋ナットから成る複数個の除草爪を、
刈払機の回転刃の中心軸に対して重量バランスが取れる個所に開けた孔に取付けた、
ことを特徴とする。
孔開きボルトを回転刃に開けた孔の下面側から上面側に通し、
上面側からナットを前記孔開きボルトに装着して前記回転刃に固定し、
前記孔開きボルトの孔の先端部側から頭付ピンを挿入し、
前記孔開きボルトの先端部に別のボルトと袋ナットを取付け、
前記頭付ピンとの間に隙間を持たせる個所まで前記袋ナットを締め込み、
前記ナットで前記袋ナットを前記孔開きボルトに固定している。 
【０００６】
第２の本考案は、
前記第1の考案の除草機能付き刈払機の除草爪において、
除草爪は少なくとも軸方向中心部に貫通孔を有する孔開きボルト、頭付ピンと袋ナットから成ることを特徴とする。 
前記孔開きボルトの先端部側から前記頭付ピンを挿入し、
前記袋ナットを前記孔開きボルトに締め込み、袋ナットで前記孔開きボルトを回転刃に固定している。
【０００７】
前記第１または第２の考案の孔開きボルトの軸方向中心部にあけた貫通孔は、頭付ピンを余裕をもって通すことができる大きさの孔としており、袋ナットの内部と頭付ピンの頭との間にも隙間を設けている。頭付ピンの頭は孔開きボルトの貫通孔の直径よりも大きくしているので孔開きボルトから落下せず、頭付ピンはピンの周方向、軸方向にも稼働できるようになっている。このため、頭付ピンに大きな外力が加わると、頭付ピンが周方向あるいは軸方向に稼働して衝撃を吸収・緩和することができる。
第３の本考案は、
前記第１または第２の考案の除草機能付き刈払機のいずれかにおいて、
刈払機の回転刃は刈払い用の刃の無い平板としている。このため、重要な野菜や草花等を刈り取ることなく、周囲の雑草を掻き取りたい場合に有用である。
【考案の効果】
【０００８】
本考案は、従来の刈払機の回転刃に複数の除草爪を前記回転刃の中心軸に対して重量バランスが取れるように配置し、回転刃の下面より頭付ピンを突き出し、頭付ピンは周方向、軸方向にも稼働できるようしたことを特徴とする。
頭付ピンは周方向、軸方向にも稼働できるようにしているため、頭付ピンに大きな外力が加わると、頭付ピンが前後、左右あるいは上下方向に稼働して衝撃を吸収・緩和することができる。
刈払機の回転刃により雑草を刈払うと同時に下面から突き出た頭付ピンにより、刈払いした草などの根を同時に掻き取ることにより、雑草などの除去後も長期間にわたり除草効果があることを確認している。
雑草の種類により頭付ピンの長さを選択することにより、刈払いと除草を同時に、より効果的、効率的に行えるので、除草・刈払い作業の時間が大幅に短縮され、本考案の効果は極めて大きい。
【図面の簡単な説明】
【０００９】
【図１】孔開きボルトの断面図である。
【図２】頭付ピンの正面図である。
【図３】袋ナットの断面図である
【図４】刈払機の回転刃に除草爪を取り付けた正面図である。
【図５】刈払機の回転刃に他の除草爪を取り付けた正面図である。
【図６】回転刃に除草爪を取付ける孔の配置例を示す平面図である。        （Ａ）除草爪２個の場合        （Ｂ）除草爪３個の場合        （Ｃ）除草爪４個の場合        （Ｄ）除草爪４個の場合
【図７】除草機能付き刈払機の回転刃に除草爪を取り付けた写真例である。
【００１０】
次に、本考案を実施するための形態について、図面を参照しながら詳細に説明する。ただし、以下に示す実施例は、本考案の技術的思想を具体化するための除草機能付き刈払機の一例を示すものであって、以下のものに特定するものではない。
【実施例】
【００１１】
本考案の第１の実施例を図４に示す。１は除草爪、２は孔開きボルト、３は頭付ピン、４は孔開きボルト固定用ナット、５は袋ナット固定用ナット、６は袋ナット、７は刈払り用の回転刃である。孔開きボルト２は図１に示すように六角頭のボルトの軸方向中心線に沿って直径５ｍｍの孔を開けている。頭付ピン３を図２に示すが、ピン部３２の太さが約４ｍｍのものを適用している。
これらの孔開きボルト２と頭付ピン３などを組み合わせて、図４に示すように回転刃７に開けた除草爪取付孔８に除草爪１として取付ける。
まず、孔開きボルト２を回転刃７に開けた除草爪取付孔８に下面側から通し、孔開きボルト固定用ナット４で孔開きボルト２を回転刃７に固定する。図示していないが、回転刃７との接合部にスプリングワッシャや平ワッシャを適宜使用しても良い。
次に頭付ピン３を孔開きボルト２の先端部２３から孔２１に挿入する。この後、袋ナット固定用ナット５をボルト固定用ナット４の近傍まで下し、袋ナット６を孔開きボルト２の先端部２３に取り付け、前記頭付ピンを1〜５ｍｍ押し上げれる個所まで袋ナット６を締め込み、袋ナット固定用ナット５で固定する。 
【００１２】
複数個の除草爪１の残りのものも、同様の方法で回転刃７の中心孔７１に対して重量バランスが取れる位置に開けた除草爪取付孔８に取り付ける。複数個の除草爪１を取り付ける除草爪取付孔８の配置例を図６のＡ〜Ｄに示す。除草爪取付孔８に除草爪１を取付けるが、図６の（Ｃ）や（Ｄ）の配置の場合、長さの異なる頭付ピン３を組み合わせて、中心孔７１に近い除草爪取付孔８に短い頭付ピン３を、中心孔７１から遠い除草爪取付孔８には長い頭付ピン３を取付けてもよいし、逆にしてもよい。
除草機能付き刈払機１００で雑草を刈るとき、刈払機１００を地面に付けて回転刃７が回転すると頭付ピン３は地面に食い込み雑草の根を掻き取る。頭付ピン３は孔開きボルト２の孔２１や袋ナット６の袋部６２と隙間を持たせているので、衝撃が加わった時に頭付ピン３は前後、左右、上下に動き、衝撃を吸収して除草爪１の破損を防止すると共に、除草機能付き刈払機１００を持つ手元への衝撃も和らげる効果がある。
雑草の生えている土の状態、雑草の種類や大きさ、除草機能付き刈払機１００の出力等にもよるが、頭付ピン３の直径は３〜８ｍｍ程度、回転刃７の下面からの突出寸法は、２０〜６０ｍｍ程度とし、土の状態、雑草の成長度合いにより適宜選択するのが望ましい。
【００１３】
本考案の第２の実施例を図５に示す。１は除草爪、２は孔開きボルト、３は頭付ピン、６は袋ナット、７は刈払り用の回転刃である。第1の実施例との違いは、孔開きボルト固定用のナット４、袋ナット固定用のナット５を使用していないことである。この構成の除草爪１は、袋ナット６で孔開きボルト２を直接回転刃７に締め付け固定しているので、孔開きボルト２の長さや回転刃７の厚さによっては締め付け固定できないことがある。このような場合は、平ワッシャやスプリングワッシャを袋ナット６と回転刃７の間に挿入することにより、寸法調整すれば良い。
除草爪１の組み立て方法は、第1の考案の実施例の場合と同様である。
また、頭付ピン３は孔開きボルト２の孔２１や袋ナット６の袋部６２と隙間を持たせているので、衝撃が加わった時に頭付ピン３は前後、左右、上下に動き易く、衝撃を吸収して除草爪１の破損を防止すると共に、除草機能付き刈払機１００を持つ手元への衝撃を和らげる効果がある。
【００１４】
本考案の第３の実施例は、図示していないが、回転刃７の外周に設けられている刈払い用の刃のない平板を使用したことである。除草爪１の組み立て方法、配置は、第1または第２の考案の実施例のいずれかと同様である。回転刃７の外周の刃を無くすことにより、育てている花や野菜を傷つけることなく、これらの近傍の除草作業が容易になり、作業能率が上がり、作業時間を短縮できる。
【符号の説明】
【００１５】
１  除草爪
２  孔開きボルト
３  頭付ピン
４  孔開きボルト固定用ナット  
５  袋ナット固定用ナット
６  袋ナット
７  回転刃
８  除草爪取付孔
７１  回転刃の中心孔
１００  除草機能付き刈払機      
【図１】
0003234063.tif 000003
【図２】
0003234063.tif 000004
【図３】
0003234063.tif 000005
【図４】
0003234063.tif 000006
【図５】
0003234063.tif 000007
【図６】
0003234063.tif 000008
【図７】
0003234063.tif 000009
【手続補正書】
【提出日】令和3年7月9日(2021.7.9)
【手続補正１】
【補正対象書類名】実用新案登録請求の範囲
【補正対象項目名】請求項２
【補正方法】変更
【補正の内容】
【請求項２】
少なくとも 軸方向中心部に貫通孔を有する孔開きボルト、頭付ピンと袋ナットから成る複数個の除草爪を、
刈払機の回転刃の中心軸に対して重量バランスが取れる個所に開けた孔に取付けた、
ことを特徴とする除草機能付き刈払機。